(57)【要約】【課題】  導光板で光学シートを正確に位置決めできて、より薄型軽量であり、光源からの光をより多くしかも安定して電気光学パネルに供給できる照明装置、電気光学装置及びその電気光学装置を用いた電子機器を提供すること。【解決手段】  光学シートであるプリズムシート３５等を位置決めすることができる凸部４８ａ，４８ｂを導光板３４の４辺に額縁状に連続して夫々両面に有することしたので、該凸部４８ａ，４８ｂの内壁５０ａ，５０ｂを用い光学シートの位置決めが極めて簡単にできる。また、光源側の辺に有する凸部４８ａ，４８ｂを含む光源側端面５２は、光源３３の発光面４１と同じ大きさあるいは光源３３の発光面４１より大きな面積の受光面５３を有することとしたので、光源３３の発光面４１からの光の殆どを導光板３４に入射させ、光源３３からの光をより多く液晶パネル２に供給できる。【選択図】  図３
2005347014.tif 000002
【特許請求の範囲】
【請求項１】
光源と前記光源からの光を受ける導光板と前記導光板に配置された光学シートとを備えた照明装置において、
前記導光板は、少なくともその２辺に前記光学シートを位置決めすることができる凸部を夫々有することを特徴とする照明装置。
【請求項２】
前記２辺のうちの一辺は前記光源側の辺であり、
前記光源側の辺に有する凸部を含む前記導光板の光源側端面は、前記光源の発光面と同じ大きさあるいは前記光源の発光面より大きな面積の受光面を有することを特徴とする請求項１に記載の照明装置。
【請求項３】
光源と前記光源からの光を受ける導光板と前記導光板に配置された光学シートとを有する照明装置と、前記照明装置からの光を受ける電気光学材料を保持する基板を有する電気光学パネルとを備えた電気光学装置において、
前記導光板は、少なくともその２辺に前記光学シートを位置決めすることができる凸部を有することを特徴とする電気光学装置。
【請求項４】
前記２辺のうちの一辺は前記光源側の辺であり、
前記光源側の辺に有する凸部を含む前記導光板の光源側端面は、前記光源の発光面と同じ大きさあるいは前記光源の発光面より大きな面積の受光面を有することを特徴とする請求項３に記載の電気光学装置。
【請求項５】
前記凸部は、前記光学シートに係合する係止部を有することを特徴とする請求項３又は請求項４に記載の電気光学装置。
【請求項６】
前記光学シートはその周囲に少なくとも一の外側に突出した突起を有し、
前記係止部は、前記突起が係合する凹部を有することを特徴とする請求項５に記載の電気光学装置。
【請求項７】
前記光学シートはその周囲に少なくとも一の内側に凹んだ凹部を有し、
前記係止部は、前記凹部に係合する突起を有することを特徴とする請求項５に記載の電気光学装置。
【請求項８】
前記係止部は、前記光源側の辺以外の辺に有する前記凸部に形成されていることを特徴とする請求項５から請求項７のうちいずれか一項に記載の電気光学装置。
【請求項９】
前記光源側の辺以外の辺は、前記光源側の辺に対向する辺であることを特徴とする請求項８に記載の電気光学装置。
【請求項１０】
前記凸部は、前記導光板の前記光学シートが配置される面に対し略垂直に立設された壁面を有することを特徴とする請求項３から請求項９のうちいずれか一項に記載の電気光学装置。
【請求項１１】
前記導光板は、該導光板の周辺に前記光学シートを囲むように前記凸部を有していることを特徴とする請求項３から請求項１０のうちいずれか一項に記載の電気光学装置。
【請求項１２】
前記導光板は略矩形状を有し、該導光板の周辺に前記光学シートを囲む額縁状に前記凸部を有していることを特徴とする請求項３から請求項１１のうちいずれか一項に記載の電気光学装置。
【請求項１３】
前記導光板は、前記光源からの光の射出側面及び反射側面を有し、該射出側面及び反射側面の少なくともいずれかの２辺に前記凸部を有していることを特徴とする請求項３から請求項１２のうちいずれか一項に記載の電気光学装置。
【請求項１４】
前記照明装置は、前記導光板の前記電気光学パネル側と反対側に保護部材を更に有し、
前記保護部材は、該保護部材と導光板との間に配置される光学シートを保護するものであることを特徴とする請求項３から請求項１３のうちいずれか一項に記載の電気光学装置。
【請求項１５】
前記保護部材は、前記反射側面の凸部の前記電気光学パネル側と反対側面に当接して配置されていることを特徴とする請求項１４に記載の電気光学装置。
【請求項１６】
請求項３から請求項１５のうちいずれか一項に記載の電気光学装置を備えたことを特徴とする電子機器。
【発明の詳細な説明】
【技術分野】
【０００１】
本発明は、パーソナルコンピュータや携帯電話機に用いられる照明装置、電気光学装置及びその電気光学装置を用いた電子機器に関する。
【背景技術】
【０００２】
従来、パーソナルコンピュータや携帯電話機といった電子機器の表示装置として液晶装置等の電気光学装置が広く用いられており、その液晶装置の液晶パネルに光を照射する照明装置として例えば導光板を用いたもの等が知られている。
【０００３】
しかし、パーソナルコンピュータや携帯電話機等はより小型化、薄型化及び軽量化等が求められており、その小型化、薄型化を目的として導光板を楔形にし、その厚さの薄い領域に電源等を配置した表示装置等が提案されている（例えば、特許文献１参照。）  。
【特許文献１】特開２００１−７５０９３号公報（段落[０００５]から[００２４]、図２）。
【発明の開示】
【発明が解決しようとする課題】
【０００４】
しかしながら上述の表示装置により表示装置の小型化、薄型化を図ることがある程度できたが、より更なる照明装置や電気光学装置の小型化、薄型化及び軽量化を図らなければならないという問題が生じていた。
【０００５】
また、薄型化が進む中でいかにモアレ等のない安定した表示を可能とするかという問題も生じていた。
【０００６】
更により小型化が望まれ、製造コストをかけないで導光板に光学シートを正確に位置決めし、配置しなければならないという問題も生じていた。
【０００７】
本発明は、上述の課題に鑑みてなされるもので、導光板で光学シートを正確に位置決めできて、より薄型軽量であり、光源からの光をより多くしかも安定して電気光学パネルに供給できる照明装置、電気光学装置及びその電気光学装置を用いた電子機器を提供することを目的とする。
【課題を解決するための手段】
【０００８】
上記目的を達成するために、本発明の主たる観点に係る照明装置は、光源と前記光源からの光を受ける導光板と前記導光板に配置された光学シートとを備えた照明装置において、前記導光板は、少なくともその２辺に前記光学シートを位置決めすることができる凸部を夫々有することを特徴とする。
【０００９】
ここで、「光学シート」とは、例えば反射シート、拡散シート及びプリズムシート等のことである。
【００１０】
本発明は、少なくとも導光板の２辺に光学シートを位置決めすることができる凸部を夫々有することしたので、例えば隣り合う２辺の２つの凸部で少なくとも光学シートの一つの角の位置を特定でき該光学シートの位置決めが可能となる。
【００１１】
本発明の一の形態によれば、前記２辺のうちの一辺は前記光源側の辺であり、前記光源側の辺に有する凸部を含む前記導光板の光源側端面は、前記光源の発光面と同じ大きさあるいは前記光源の発光面より大きな面積の受光面を有することを特徴とする。これにより、光源の発光面からの光の殆どを導光板に入射させ、光源からの光をより多く電気光学パネルに供給できる。
【００１２】
また、当該光源側端面より導光板の厚さが薄い部分に光学シートを配置できるので、照明装置としての厚さをその光学シート分薄くすることができる。
【００１３】
本発明の他の観点にかかる電気光学装置は、光源と前記光源からの光を受ける導光板と前記導光板に配置された光学シートとを有する照明装置と、前記照明装置からの光を受ける電気光学材料を保持する基板を有する電気光学パネルとを備えた電気光学装置において、前記導光板は、少なくともその２辺に前記光学シートを位置決めすることができる凸部を有することを特徴とする。
【００１４】
本発明は、少なくとも導光板の２辺に光学シートを位置決めすることができる凸部を夫々有することしたので、例えば隣り合う２辺の２つの凸部で少なくとも光学シートの一つの角の位置を特定でき該光学シートの位置決めが可能となる。
【００１５】
本発明の一の形態によれば、前記２辺のうちの一辺は前記光源側の辺であり、前記光源側の辺に有する凸部を含む前記導光板の光源側端面は、前記光源の発光面と同じ大きさあるいは前記光源の発光面より大きな面積の受光面を有することを特徴とする。これにより、光源の発光面からの光の殆どを導光板に入射させ、光源からの光をより多く電気光学パネルに供給できる。
【００１６】
また、当該光源側端面より導光板の厚さが薄い部分に光学シートを配置できるので、電気光学装置としての厚さをその光学シート分薄くすることができる。
【００１７】
本発明の一の形態によれば、前記凸部は、前記光学シートに係合する係止部を有することを特徴とする。これにより、導光板の２辺に有する２つの凸部でもより正確に、かつ、簡単に光学シートの位置決めが可能となる。
【００１８】
本発明の一の形態によれば、前記光学シートはその周囲に少なくとも一の外側に突出した突起を有し、前記係止部は、前記突起が係合する凹部を有することを特徴とする。これにより、該係止部に突起を係合させ極めて簡単な構造で導光板に光学シートを確実に位置決めできる。
【００１９】
本発明の一の形態によれば、前記光学シートはその周囲に少なくとも一の内側に凹んだ凹部を有し、前記係止部は、前記凹部に係合する突起を有することを特徴とする。これにより、該凹部に係止部の突起を係合させ極めて簡単な構造で導光板に光学シートを確実に位置決めできる。
【００２０】
本発明の一の形態によれば、前記係止部は、前記光源側の辺以外の辺に有する前記凸部に形成されていることを特徴とする。これにより、導光板の受光面から入射した光の妨げにならないように光学シートを導光板に位置決めできる。
【００２１】
本発明の一の形態によれば、前記光源側の辺以外の辺は、前記光源側の辺に対向する辺であることを特徴とする。これにより、係止部の存在が電気光学パネルへの光の供給の妨げにならず、しかも相対向する２辺で光学シートを挟み係止部で位置決めするのでより正確な位置決めが簡単にできることとなる。
【００２２】
本発明の一の形態によれば、前記凸部は、前記導光板の前記光学シートが配置される面に対し略垂直に立設された壁面を有することを特徴とする。これにより、光学シートの端面をその壁面に当てて位置決めできるので、位置決めの際に動いたりせず、より簡単、かつ、確実に正確な位置決めが可能となる。
【００２３】
本発明の一の形態によれば、前記導光板は、該導光板の周辺に前記光学シートを囲むように前記凸部を有していることを特徴とする。これにより、導光板の周辺を除いた領域により簡単に光学シートを位置決めできる。従って、電気光学パネルの有効表示領域に確実に対応させて光学シートを位置決めできる。
【００２４】
本発明の一の形態によれば、前記導光板は略矩形状を有し、該導光板の周辺に前記光学シートを囲む額縁状に前記凸部を有していることを特徴とする。これにより、導光板自体で極めて簡単に光学シートを位置決めできる。また、光学シートの全部或はその一部を導光板の凸部で囲まれた箱状の窪みに収納できるので、その分電気光学装置を薄型、軽量化できる。
【００２５】
本発明の一の形態によれば、前記導光板は、前記光源からの光の射出側面及び反射側面を有し、該射出側面及び反射側面の少なくともいずれかの２辺に前記凸部を有していることを特徴とする。これにより、例えば射出側面の辺に凸部が形成されているときは拡散シートやプリズムシート等を簡単に位置決めでき、反射側面の辺に凸部が形成されているときは反射シート等を簡単に位置決めできる。
【００２６】
本発明の一の形態によれば、前記照明装置は、前記導光板の前記電気光学パネル側と反対側に保護部材を更に有し、前記保護部材は、該保護部材と導光板との間に配置される光学シートを保護するものであることを特徴とする。これにより、外部から力が加わっても光学シートに直接加わらないので、導光板と光学シートの距離の変移によるモアレを発生させにくくさせることができる。
【００２７】
本発明の一の形態によれば、前記保護部材は、前記反射側面の凸部の前記電気光学パネル側と反対側面に当接して配置されていることを特徴とする。これにより、該保護部材に加わった外部の力は導光板の凸部で受けるので、光学シートに該外部の力は加わらず導光板と光学シートの距離の変移によるモアレをより発生させにくくさせることができる。
【００２８】
本発明の他の観点にかかる電子機器は、上述する電気光学装置を備えたことを特徴とする。
【００２９】
本発明は、導光板で光学シートを正確に位置決めできて、より薄型軽量であり、光源からの光をより多く電気光学パネルに供給できる電気光学装置を備えるので、電子機器の表示性能を向上させながらより電子機器の小型化、薄型化、更にその製造コストの軽減を図ることができる。
【発明を実施するための最良の形態】
【００３０】
以下、本発明に実施形態を図面に基づき説明する。なお、以下実施形態を説明するにあたっては、電気光学装置の例として液晶装置、具体的には反射半透過型のパッシブマトリックス方式の液晶装置、またその液晶装置を用いた電子機器について説明するがこれに限られるものではない。また、以下の図面においては各構成を分かりやすくするために、実際の構造と各構造における縮尺や数等が異なっている。
【００３１】
（第１の実施形態）
【００３２】
図１は本発明の第１の実施形態に係る液晶装置の概略斜視図、図２は図１のＡ−Ａ線断面図（液晶駆動用ＩＣ及び点光源は切断されていない。）、図３は図２の光源及び導光板の説明図、図４は光源と導光板及び光学シートの説明図及び図５は片面にのみ位置決め用凸部が設けられている場合の説明図である。
【００３３】
（液晶装置の構成）
【００３４】
液晶装置１は、例えば図１に示すように電気光学パネルとしての液晶パネル２と当該液晶パネル２に接続された回路基板３及び当該液晶パネル２に光を射出する照明装置４とを有する。ここで、液晶装置１には、照明装置４の他にも、その他の付帯機構が必要に応じて付設される（図示しない）。
【００３５】
液晶パネル２は、図１及び図２に示すようにシール材５を介して貼り合わされた一対の基板である第１の基板６及び第２の基板７と、両基板の隙間に封入された電気光学材料例えばＳＴＮ（Ｓｕｐｅｒ  Ｔｗｉｓｔｅｄ  Ｎｅｍａｔｉｃ）型の液晶８及び液晶パネル２の周縁部を保持する額縁状の枠９とを有する。
【００３６】
第１の基板６には、例えば図１及び図２に示すように液晶側表面に複数のコモン電極１０が所定のパターンで形成されており、そのコモン電極１０の上（液晶側）にはオーバーコート層１１が形成され、更にその上に配向膜１２が形成されている。また、第１の基板６の外側（液晶８と反対側）には偏光板１３等が配置されている。
【００３７】
一方、第２の基板７には、例えば図１及び図２に示すように液晶側表面に、複数のセグメント電極１４が所定のパターンで形成されており、そのセグメント電極１４の上にはオーバーコート層１５が形成され、更にその上に配向膜１６が形成されている。また、第２の基板７の外側（液晶８と反対側）には偏光板１７等が配置されている。
【００３８】
なお、第１の基板及び第２の基板６，７のいずれか一方の内側表面には図示しないが必要に応じて下地層、反射層、着色層及び光遮蔽層等を形成する。
【００３９】
ここで、第１の基板及び第２の基板６，７は、図１及び図２に示すように例えばガラスや合成樹脂といった光透過性材料から形成された板状部材であり、第２の基板７は第１の基板６に対し外側へ（図１及び図２中のＹ軸方向）張出した張出し部１８を有している。
【００４０】
また、コモン電極１０は、例えばＩＴＯ（Ｉｎｄｕｉｕｍ  Ｔｉｎ  Ｏｘｉｄｅ）の透明導電材料でストライプ状に複数形成されているが、図１及び図２に示すように一方方向（図中Ｘ軸方向）で平行になるようにストライプ形状で複数形成されている。
【００４１】
更にセグメント電極１４はコモン電極１０と同様にＩＴＯ等の透明導電材料でストライプ状に複数形成されているが、図１及び図２に示すようにコモン電極１０と交差するように図中のＹ軸方向に形成されている。これらのコモン電極１０及びセグメント電極１４が交差する所が、例えば像を表示するＲ（赤）、Ｇ（緑）、Ｂ（青）の一つ一つのサブ画素となる。
【００４２】
また、オーバーコート層１１，１５は例えば酸化ケイ素、酸化チタンまたはこれらの混合物により形成され、配向膜１２，１６は例えばポリイミド系樹脂により形成されている。更に偏光板１３，１７は例えば高分子型薄膜偏光フィルムにより形成され、夫々の基板の外側に貼着されている。
【００４３】
張出し部１８は、図１及び図２に示すようにコモン電極及びセグメント電極１０，１４がシール材５で囲まれる領域（以下「液晶領域」という。）から当該張出し部１８に延びたコモン電極用配線１９及びセグメント電極用配線２０、その各電極用配線に例えば液晶駆動用電流を供給するＩＣ（Ｉｎｔｅｇｒａｔｅｄ  Ｃｉｒｃｕｉｔ）としての液晶駆動用ＩＣ２１等を有する。
【００４４】
また、張出し部１８は液晶駆動用ＩＣ２１の実装面に対応する第２の基板７上の実装領域内に設けられた複数の電極用端子２２、更に回路基板３からの電流を液晶駆動用ＩＣ２１に入力する複数の入力用端子２３を有する。この電極用端子２２はコモン電極用配線及びセグメント電極用配線１９，２０に夫々電気的に接続されている。
【００４５】
更に張出し部１８は、回路基板３からの電流を受取る外部用端子２４、その外部からの電流を入力用端子２３に供給する入力用配線２５等を有する。
【００４６】
また、例えば図２に示すように張出し部１８の液晶駆動用ＩＣ２１の実装面と反対側には、略張出し部１８の全体を覆うように遮光部材２６が貼着されている。
【００４７】
遮光部材２６は、例えば第２の基板７側は黒色で光源側は白色等の光を反射する構成となっている。これにより、後述する光源から光が漏れても遮光部材２６で反射され、より光源からの光を無駄なく液晶パネル２に供給できる。また、外部からの光も黒色面で吸収され液晶駆動用ＩＣ２１へ反射することもなく、より安定した液晶の駆動を得ることができる。
【００４８】
なお、コモン電極用配線及びセグメント電極用配線１９，２０は例えばコモン電極及びセグメント電極１０，１４と同様ＩＴＯ等の透明導電性材料で形成されている。
【００４９】
液晶駆動用ＩＣ２１は、例えば回路基板３及び入力用配線２５を介して表示画像等に関わる各種の信号を受信すると、この信号に応じた駆動信号を生成するものであり、その駆動信号はコモン電極用配線及びセグメント電極用配線１９，２０に供給される。
【００５０】
液晶駆動用ＩＣ２１は、図１及び図２に示すようにＸ軸方向に長辺が来るように略長方形の外形を有し、その張出し部１８への実装面である裏面には電極用端子２２と入力用端子２３とに電気的に接続するための複数のバンプ２７を有する。この電気的接続には、例えば電極用端子及び入力用端子２２，２３とバンプ２７との間にＡＣＦ（Ａｎｉｓｏｔｒｏｐｉｃ  ｃｏｄｕｃｔｉｖｅ  ｆｉｌｍ）２８を介して行われている。
【００５１】
また、枠９は例えば図１及び図２に示すようにその中央に略矩形状の表示用開口部２９を有し、額縁状に形成されている。更に枠９は、第１の基板上の偏光板１３を介し液晶パネル２の周縁部を保持し固定しているが表示用開口部２９の周縁が、例えば図２に示すように液晶パネル２の有効表示領域Ｄの周縁外側の見切り部分（図示しない）に平面的に隣接するように形成されている。これにより、表示に寄与しない部分が、該枠９により覆われるので液晶表示がより鮮明になる。
【００５２】
次に、回路基板３には例えば図１及び図２に示すようにベース基材３０の上に配線パターン３１等が形成、実装されている。
【００５３】
ここで、ベース基材３０は可撓性を有するフィルム状の部材であり、配線パターン３１は例えば銅等から形成されていて、張出し部側の端に接続用端子（図示しない）が形成されている。その接続用端子は外部用端子２４に外部接続用ＡＣＦ３２を介して電気的に接続されている。なお、外部接続用ＡＣＦ３２はＡＣＦ２８とほとんど同様の構成であるが、必要に応じて導電粒子の大きさ等を変えてある。
【００５４】
次に、照明装置４は例えば図１、図２及び図３に示すように液晶パネル２に光を供給するバックライトユニットであり、光源３３、導光板３４、２枚のプリズムシート３５，３６、拡散シート３７、反射シート３８、フレーム３９及び反射部としての反射部材４０等を有する。
【００５５】
ここで、光源３３は例えば発光ダイオード（以下「ＬＥＤ」（Ｌｉｇｈｔ  Ｅｍｉｔｔｉｎｇ  Ｄｉｏｄｅ）という。）が用いられ図１、図２及び図３に示すよう導光板３４の光源側端面に発光面４１が配置されている。
【００５６】
また、導光板３４は例えば図１、図２及び図３に示すように略矩形の平板形状であり、その両面（図中のＺ軸方向向きの面）は一方の面が、光源３３からの光を液晶パネル２に射出する射出側面４２であり、他方の面が、射出側面４２の反対側で光を反射させる反射側面４３となっている。また、導光板３４は光源３３の発光面４１からの光を受ける受光面５３を有する光源側端面５２が形成されている。
【００５７】
その射出側面４２は、光源側の一辺である光源側辺４４ａとその対向する辺４５ａ更に光源３３に向かって右側辺４６ａ及び左側辺４７ａの４辺を有し、該４辺４４ａ，４５ａ，４６ａ，４７ａに夫々凸部が一続きの略額縁状の凸部４８ａとして形成されている。
【００５８】
該凸部４８ａは、例えば図３に示すようにその凸部４８ａで内側に形成される窪みの底面４９ａに対し、周りを囲むように略垂直に立設された壁面としての内壁５０ａを有している。この内壁５０ａは、当該底面４９ａに配置される例えば拡散シート３７やプリズムシート３５，３６が丁度その内壁内に収まるように形成されており、該内壁内の底面４９ａに拡散シート３７やプリズムシート３５，３６を収めることにより正確に該拡散シート３７やプリズムシート３５，３６を所定の位置に簡単に位置決めできることとなる。
【００５９】
更に凸部４８ａは、例えば図２及び３に示すようにその液晶パネル側の面が略遮光部材２６、第２の基板７と平行な凸部平面５１ａとして形成されている。
【００６０】
一方、反射側面４３は射出側面４２の各辺と対応して光源側の一辺である光源側辺４４ｂとその対向する辺４５ｂ更に光源３３に向かって右側辺４６ｂ及び左側辺４７ｂの４辺を有し、該４辺４４ｂ，４５ｂ，４６ｂ，４７ｂに夫々凸部が一続きに略額縁状の凸部４８ｂとして形成されている。
【００６１】
また、凸部４８ｂは例えば図３に示すように該凸部４８ｂで内側に形成される窪みの底面４９ｂに対し、周りを囲むように略垂直に立設された壁面としての内壁５０ｂを有している。この内壁５０ｂは、内壁５０ａと同様当該底面４９ｂに配置される例えば反射シート３８が丁度その内壁内に収まるように形成されており、該内壁内の底面４９ｂに反射シート３８を収めることにより正確に該反射シート３８を所定の位置に簡単に位置決めできることとなる。
【００６２】
更に凸部４８ｂは、例えば図２及び３に示すようにそのフレーム側の面が略遮光部材２６、第２の基板７と平行な凸部平面５１ｂとして形成されている。これにより、凸部平面５１ａ，５１ｂは互いに平行な平面となる。
【００６３】
ここで、射出側面４２の底面４９ａと反射側面４３の底面４９ｂとは、例えば図３に示すように夫々反対側に位置し平面的に重なり、かつ、互いに平行となるように形成されている。すなわち、底面４９ａ，４９ｂで挟まれる導光板部分は厚さが略等しい平板形状となる。これにより反射シート３８で反射された光を無駄なく射出側面４２の拡散シート３７へ射出させることができる。
【００６４】
更に光源側端面５２は、例えば図１、図２及び図３に示すように導光板３４の光源側辺４４ａ，４４ｂに挟まれ、光源３３の発光面４１と略同じ大きさで該発光面に対向する受光面５３を略中央に有している。すなわち、光源側端面５２は発光面４１のＺ軸方向の長さと略同じ長さをそのＺ軸方向に有し、Ｘ軸方向の長さは発光面４１のＸ軸方向の長さより大きくなっている。これにより、光源３３からの光の略全てを導光板３４の光源側端面５２の受光面５３に入射させることができる。
【００６５】
また、導光板３４は、プリズムシート３５等の光学シートが配置される底面４９ａ，４９ｂによって挟まれる部分の導光板３４の厚さ（図２中のＣ）を、光源側で凸部平面５１ａと凸部平面５１ｂとによって挟まれる部分の導光板３４の厚さ（図２中のＢ）より、その内壁５０ａ，５０ｂの分だけ薄くして窪ませたので、その窪んだ底面（４９ａ，４９ｂ）部分に光学シートを全部或は一部収納することにより、その分だけ照明装置４全体の厚さを薄くすることができる。
【００６６】
更に凸部平面５１ａ，５１ｂの表面に図示しない反射層を設けてもよい。これにより、該凸部平面５１ａ，５１ｂから外部に漏れる光を略導光板３４の内部に戻すことが可能となり、光源３３からの光を無駄なく液晶パネル２に供給できる。
【００６７】
ここで、導光板３４は凸部４８ａ，４８ｂも含め例えばアクリル系樹脂等を用いて射出成形や押出成形等により一体的に形成される。
【００６８】
次に、２枚のプリズムシート３５，３６、拡散シート３７及び反射シート３８は図４に示すように略同じ大きさに形成されており、反射側面４３の凸部４８ｂ内側の底面４９ｂ上（図では下方向）に該底面４９ｂと略同じ大きさの例えば銀箔シート等の反射シート３８が位置決めされ貼着されている。また、射出側面４２の凸部４８ａの内側の底面４９ａ上（液晶パネル側）に該底面４９ａと略同じ大きさの拡散シート３７が位置決め、貼着され、更にその上に２枚のプリズムシート３５，３６が配置されている。
【００６９】
このように、各光学シートと内壁５０ａ，５０ｂで囲まれる底面４９ａ，４９ｂとが同じ大きさに形成されているのできわめて容易にプリズムシート等の位置決めが可能となる。また、図２に示すように液晶パネル２の有効表示領域Ｄに底面４９ａ，４９ｂが対応しているので、有効表示領域Ｄの全体に均質で輝度の高い光を射出することができる。
【００７０】
ここで、拡散シート３７は、拡散により均一な光を射出するものであり、プリズムシート３５，３６は拡散シート３７から射出される光の輝度を向上させ液晶パネル２の偏光板１７に照射するものである。
【００７１】
また、フレーム３９は例えば図１及び図２に示すように反射部材４０や光源３３と、反射シート３８、拡散シート３７及び２枚のプリズムシート３５，３６が備えられた導光板３４とが丁度収納されるように内側に凹部５４を形成している。
【００７２】
更に反射部材４０は、例えば図１及び図２に示すように光源３３の発光面４１と反対側の凹部５４の内壁に設けられている。図１では平板状に形成されているがこれに限られるものではなく、例えば凹面鏡のような形状にしてもよい。材料として銀やアルミニウムを用いることができる。これにより、受光面等で漏れ出た光を反射させ、再利用を図ることができる。
【００７３】
尚、底面４９ａ，４９ｂで挟まれる導光板部分は上述のような厚さが略等しい平板形状に限られるものではなく、例えば光源３３に遠くなるほどその厚さが薄くなるような略楔形状に形成してもよい。これにより、拡散シート３７の略全面に均一な輝度で光を射出することが可能となると共に液晶装置１の軽量化をより図ることができる。
【００７４】
また、上述の説明では導光板３４の両面に凸部４８ａ，４８ｂを有する場合を説明したがこれに限られるものではなく、例えば図５に示すように射出側面４２にのみ凸部４８ａを有するものとしてもよい。勿論、逆に反射側面４３だけでもよい。これにより、製造コストの軽減をより図ることができる。
【００７５】
更に図５のように射出側面４２にのみ凸部４８ａを有するものとした場合は、図示はしないが反射シート３８を光源側辺４４ｂまで延ばしてもよい。これにより、薄さは凸部４８ｂを設けた場合に比べ少し厚くなるが光源間際まで反射シート３８で覆うこととなるので、より光源３３からの光を無駄なく液晶パネル２に供給できる。
【００７６】
（液晶装置の製造方法）
【００７７】
次に、以上のように構成された液晶装置１の製造方法について導光板へのプリズムシート３５等の光学シートの位置決め配置工程を中心に簡単に説明する。
【００７８】
図６は導光板への光学シートの位置決め方法の説明図である。
【００７９】
まず、例えば図１に示すように反射部材４０をフレーム３９の凹部５４の光源側内壁に配置し、光源３３を所定の位置に固定する。
【００８０】
次に図６に示すように射出側面４２の凸部４８ａの内壁５０ａの光源側に例えば拡散シート３７の光源側の辺を揃え、そのまま底面４９ａに他の辺も内壁５０ａに合わせながら降ろし、所定の位置に位置決めしながら配置する。以下同様にプリズムシート３６，３５も凸部４８ａの内壁５０ａに各プリズムシートの辺を合わせることにより所定の位置に位置決めし、配置する。
【００８１】
また、同様に反射側面４３の凸部４８ｂの内壁５０ｂの光源側に例えば反射シート３８の光源側の辺を揃え、そのまま底面４９ｂに他の辺も内壁５０ｂに合わせながら降ろし、所定の位置に位置決めしながら配置する。
【００８２】
以上で導光板３４に光学シートであるプリズムシート３５，３６、拡散シート３７及び反射シート３８を底面４９ａ，４９ｂに位置決めし、配置する工程を終了する。
【００８３】
これにより、簡単に導光板３４の凸部４８ａ，４８ｂの四方の内壁を用いて簡単に光学シートであるプリズムシート３５，３６、拡散シート３７及び反射シート３８を底面４９ａ，４９ｂに位置決めし、配置することができる。
【００８４】
その後、射出側面４２にプリズムシート３５，３６及び拡散シート３７が、反射側面４３に反射シート３８が夫々配置された導光板３４を反射部材４０及び光源３３が備えられたフレーム３９の所定の位置、すなわち光源３３の発光面４１と導光板３４の受光面５３とが一致するように挿入し固定する。これで、照明装置４が完成するので更に液晶パネル２にその照明装置４を図１及び図２に示すように取り付け、その他の例えば回路基板３等を取り付けて液晶装置１が完成する。
【００８５】
尚、光学シートを導光板３４の所定の位置に位置決めする方法は上述のように一枚一枚位置決めする方法に限られず、例えば射出側面４２であれば拡散シート３７とプリズムシート３５，３６とを予め一枚に纏めておいて、その纏められた光学シートの光源側の辺をまず光源側の内壁５０ａに合わせて、そのほかの辺も該内壁５０ａに合わせて纏められた光学シートの位置決めをすることもできる。これによれば、位置決め工程を短縮できる。
【００８６】
（液晶装置の動作）
【００８７】
次に、以上のように構成された液晶装置１の動作について導光板での光の進み方を中心に簡単に説明する。
【００８８】
図７は導光板の光の進み方を側面側から説明する図である。
【００８９】
まず、図示しない駆動回路により例えばＬＥＤである光源３３に所定の電流が供給されると該光源３３はその発光面４１から所定の波長の光を発する。そして、その発光面４１から射出した光は、例えば図７に示すように発光面４１の略中央から射出した光Ｅ１であれば光源側端面５２の受光面５３に入射しそのまま厚さの薄い部分に進み、何回か全反射を繰り返しやがて射出側面４７の底面４９ａから拡散シート３７へ射出する。
【００９０】
更に該射出光は図７のＦのように２枚のプリズムシート３６，３５を経て液晶パネル２の第２の基板7側に入射し、液晶８により所定のサブ画素ごとに光変調され第１の基板側の偏光板１３の有効表示領域から外部へ射出し、見る者に所定の画像を表示することとなる。
【００９１】
一方、発光面４１のやや上方から射出した光Ｅ２は、例えば凸部平面５１ａで全反射し、その反射光がそのまま厚さの薄い部分に進み、上述した光Ｅ１と同様に全反射を繰り返しやがて射出側面４２の底面４９ａから拡散シート３７へ射出する。
【００９２】
また、発光面４１のやや下方から射出した光Ｅ３は、例えば凸部平面５１ｂで全反射し、その反射光がそのまま厚さの薄い部分に進み、上述した光Ｅ１と同様に全反射を繰り返しやがて射出側面４２の底面４９ａから拡散シート３７へ射出する。
【００９３】
このように、光学シートが配置される底面４９ａ，４９ｂでは図２に示すように厚さが薄くなっていても、光源３３の発光面４１と略同じ大きさを有する受光面５３から発光面４１からの光の殆どを導光板３４に入射させることができ、光源３３からの光をより無駄なく液晶パネルに供給できる。
【００９４】
以上で液晶装置１の動作の説明を終了する。
【００９５】
このように本実施形態によれば、光学シートであるプリズムシート３５等を位置決めすることができる凸部４８ａ，４８ｂを導光板３４の４辺に額縁状に連続して夫々両面に有することしたので、該凸部４８ａ，４８ｂの内壁５０ａ，５０ｂを用い光学シートの位置決めが極めて簡単にできる。
【００９６】
また、光源側の辺に有する凸部４８ａ，４８ｂを含む光源側端面５２は、光源３３の発光面４１と同じ大きさあるいは光源３３の発光面４１より大きな面積の受光面５３を有することとしたので、光源３３の発光面４１からの光の殆どを導光板３４に入射させ、光源３３からの光をより多く液晶パネル２に供給できる。
【００９７】
更に当該光源側端面５２より導光板３４の厚さが薄い部分にプリズムシート３５等の光学シートを配置できるので、液晶装置１としての厚さをその光学シート分薄くすることができる。
【００９８】
また、凸部４８ａ，４８ｂは、導光板３４のプリズムシート３５等の光学シートが配置される底面４９ａ，４９ｂに対し略垂直に立設された壁面である内壁５０ａ，５０ｂを有するので、光学シートの端面をその内壁５０ａ，５０ｂに当てて位置決めでき、位置決めの際に動いたりせず、より簡単、かつ、確実に正確な位置決めが可能となる。
【００９９】
（第２の実施形態）
【０１００】
次に、本発明に係る液晶装置の第２の実施形態について説明する。本実施形態においては導光板の反射側面に保護部材が設けられている点が第１の実施形態と異なるので照明装置を中心に説明する。尚、第１の実施形態の構成要素と共通する構成要素については、第１の実施形態の構成要素と同一の符号を付しその説明を省略する。
【０１０１】
図８は本発明の第２の実施形態に係る液晶装置１０１の概略斜視図、図９は図８のＧ−Ｇ線断面図（液晶駆動用ＩＣ及び光源は切断されていない。）及び図１０は光源と導光板との説明図である。
【０１０２】
（液晶装置の構成）
【０１０３】
液晶装置１０１は、例えば図８に示すように液晶パネル２と当該液晶パネル２に接続された回路基板３及び当該液晶パネル２に光を射出する照明装置１０４とを有する。ここで、液晶装置１０１には、照明装置１０４の他にも、その他の付帯機構が必要に応じて付設される（図示しない）。
【０１０４】
照明装置１０４は、例えば図８、図９及び図１０に示すように液晶パネル２に光を供給するバックライトユニットであり、光源３３、導光板３４、２枚のプリズムシート３５，３６、拡散シート３７、反射シート３８、保護部材１５５、フレーム３９及び反射部としての反射部材４０等を有する。
【０１０５】
ここで、保護部材１５５は例えば図９及び図１０に示すように平板状で導光板３４の反射側面４３の大きさと略同じに形成されている。
【０１０６】
また、保護部材１５５は例えば図９及び図１０に示すように該反射側面４３の凸部４８ｂの凸部平面５１ｂの四辺に、保護部材１５５の四辺が一致するように図示しない両面接着シート等により接着固定されている。これにより、直接外部からの力が反射シート等にかかることがなくなり、導光板３４と反射シート等の光学シートとの距離の変移によるモアレが発生しにくくなる。
【０１０７】
また、フレーム３９は例えば図８及び図９に示すように保護部材１５５と反射部材４０と光源３３と反射シート３８、拡散シート３７及び２枚のプリズムシート３５，３６が備えられた導光板３４とが丁度収納されるように内側に凹部１５４を形成している。
【０１０８】
更に反射部材４０は、例えば図８及び図９に示すように光源３３の発光面４１と反対側の凹部１５４の内壁に設けられている。図８では平板状に形成されているがこれに限られるものではなく、例えば凹面鏡のような形状にしてもよい。材料として銀やアルミニウムを用いることができる。これにより、受光面等で漏れ出た光を反射させ、再利用を図ることができる。
【０１０９】
尚、第１の実施形態の場合と同様、底面４９ａ，４９ｂで挟まれる導光板部分は厚さが略等しい平板形状に限られるものではなく、例えば光源３３に遠くなるほどその厚さが薄くなるような略楔形状に形成してもよい。これにより、拡散シート３７の略全面に均一な輝度で光を射出することが可能となると共に液晶装置１の軽量化をより図ることができる。
【０１１０】
また、上述の説明では導光板３４の両面に凸部４８ａ，４８ｂを有する場合を説明したがこれに限られるものではなく、例えば射出側面４２にのみ凸部４８ａを有するものとしてもよい。この場合、図示はしないが保護部材１５５の導光板側の面に反射機能を持たせてもよい。これにより、従来の反射シートの機能を有する保護部材１５５で導光板３４を光源間際まで覆うこととなるので、より光源３３からの光を無駄なく液晶パネル２に供給できる。更に反射シートを省略するのでその分、照明装置１０４を薄くすることができる。尚、保護部材１５５は外部の力にも変形しにくい材料、例えば金属等により形成することが好ましい。
【０１１１】
（液晶装置の製造方法）
【０１１２】
本実施形態に係る液晶装置１０１の製造方法については、略第１の実施形態と同様であるのでその説明を省略する。
【０１１３】
（液晶装置の動作）
【０１１４】
本実施形態に係る液晶装置１０１の導光板の光の進み方については、略第１の実施形態と同様であるのでその説明を省略する。
【０１１５】
このように本実施形態によれば、液晶装置１０１は、導光板３４の液晶パネル側と反対側に反射シート等の光学シートを保護する保護部材１５５を更に有することとしたので、外部から力が加わっても反射シート等の光学シートに直接力が加わらず、導光板３４と光学シートの距離の変移によるモアレを発生させにくくさせることができる。
【０１１６】
また、保護部材１５５は、凸部４８ｂの凸部平面５１ｂに当接して配置されているので、該保護部材１５５に加わった外部の力は凸部４８ｂで受け、反射シート等の光学シートに該外部の力は加わらず導光板３４と反射シート等の光学シートとの距離の変移によるモアレをより発生させにくくさせることができる。
【０１１７】
（第３の実施形態）
【０１１８】
次に、本発明に係る液晶装置の第３の実施形態について説明する。本実施形態においては凸部に係止部を有する点が第１の実施形態と異なるので照明装置を中心に説明する。尚、第１の実施形態の構成要素と共通する構成要素については、第１の実施形態の構成要素と同一の符号を付しその説明を省略する。
【０１１９】
図１１は本発明の第３の実施形態に係る液晶装置２０１の概略斜視図、図１２は図１１のＨ−Ｈ線断面図（液晶駆動用ＩＣ及び光源は切断されていない。）、図１３は光源と導光板との概略説明図及び図１４は光源と導光板及び光学シートとの概略斜視図である。
【０１２０】
（液晶装置の構成）
【０１２１】
液晶装置２０１は、例えば図１１に示すように液晶パネル２と当該液晶パネル２に接続された回路基板３及び当該液晶パネル２に光を射出する照明装置２０４とを有する。ここで、液晶装置２０１は、照明装置２０４の他にも、その他の付帯機構が必要に応じて付設される（図示しない）。
【０１２２】
照明装置２０４は、例えば図１１、図１２、図１３及び図１４に示すように液晶パネル２に光を供給するバックライトユニットであり、光源として例えば光源３３、導光板２３４、２枚のプリズムシート２３５，２３６、拡散シート２３７、反射シート２３８、フレーム３９及び反射部としての反射部材４０等を有する。
【０１２３】
ここで、導光板２３４は例えば図１１、図１２、図１３及び図１４に示すように略矩形の平板形状であり、その両面（図中のＺ軸方向向きの面）は一方の面が、光源３３からの光を液晶パネル２に射出する射出側面４２であり、他方の面が、射出側面４２の反対側で光を反射させる反射側面４３となっている。また、導光板２３４は光源３３の発光面４１からの光を受ける受光面５３を有する光源側端面２５２が形成されている。
【０１２４】
その射出側面４２は、光源側の一辺である光源側辺４４ａとその対向する辺４５ａ更に光源３３に向かって右側辺４６ａ及び左側辺４７ａの４辺を有し、該４辺４４ａ，４５ａ，４６ａ，４７ａのうち図１３に示すように右側辺４６ａ及び左側辺４７ａの２辺に略直方体状の凸部２４８ａ，２４８ａ´を夫々有している。
【０１２５】
該凸部２４８ａは、例えば図１３に示すように断面が矩形状で導光板２３４の略右辺の全体に形成されており、凸部２４８ａ´は、内側中央に係止部としての係止用凹部２５５ａが形成されている他は、凸部２４８ａと同様に導光板２３４の略左辺の全体に形成されている。
【０１２６】
また、凸部２４８ａは例えば図１３に示すように該凸部２４８ａ，２４８ａ´に挟まれ形成される窪みの底面４９ａに対し、略垂直に立設された壁面としての内壁２５０ａを有し、更にその液晶パネル側の面が略遮光部材２６、第２の基板７と平行な凸部平面２５１ａとして形成されている。
【０１２７】
更に凸部２４８ａ´は、例えば図１３に示すように底面４９ａに対し、略垂直に立設された壁面としての内壁２５０ａ´を内壁２５０ａに対向するように有し、更にその液晶パネル側の面が略遮光部材２６、第２の基板７と平行な凸部平面２５１ａ´として形成されている。
【０１２８】
ここで、内壁２５０ａ´には例えば図１３に示すようにその略中央に凸部２４８ａ´の内側に溝状に凹んだ係止用凹部２５５ａが形成されており、プリズムシート等の光学シートの突起が丁度係合するようになっている。
【０１２９】
一方、反射側面４３は射出側面４２の各辺と対応して光源側の一辺である光源側辺４４ｂとその対向する辺４５ｂ更に光源３３に向かって右側辺４６ｂ及び左側辺４７ｂの４辺を有し、例えば図１３に示すように右側辺４６ｂ及び左側辺４７ｂの２辺に略直方体状の凸部２４８ｂ，２４８ｂ´を夫々有している。
【０１３０】
該凸部２４８ｂは、例えば図１３に示すように断面が矩形状で導光板２３４の略右辺の全体に形成されており、凸部２４８ｂ´は、内側中央に係止部としての係止用凹部２５５ｂが形成されている他は、凸部２４８ｂと同様に導光板２３４の略左辺の全体に形成されている。
【０１３１】
また、凸部２４８ｂは例えば図１３に示すように該凸部２４８ｂ，２４８ｂ´に挟まれ形成される窪みの底面４９ｂに対し、略垂直に立設された壁面としての内壁２５０ｂを有し、更にそのフレーム側の面が略遮光部材２６、第２の基板７と平行な凸部平面２５１ｂとして形成されている。
【０１３２】
更に凸部２４８ｂ´は、例えば図１３に示すように底面４９ｂに対し、略垂直に立設された壁面としての内壁２５０ｂ´を内壁２５０ｂに対向するように有し、更にそのフレーム側の面が略遮光部材２６、第２の基板７と平行な凸部平面２５１ｂ´として形成されている。
【０１３３】
ここで、内壁２５０ｂ´には例えば図１３に示すようにその略中央に凸部２４８ｂ´の内側に溝状に凹んだ係止用凹部２５５ｂが形成されており、反射シート等の光学シートの突起が丁度係合するようになっている。
【０１３４】
また、内壁２５０ａ，２５０ａ´は、当該底面４９ａに配置される例えば拡散シート２３７やプリズムシート２３５，２３６が丁度その内壁内に収まるように形成されており、内壁２５０ａ´の係止用凹部２５５ａに拡散シート２３７やプリズムシート２３５，２３６の突起を係合させ底面４９ａに収めることにより正確に該拡散シート２３７やプリズムシート２３５，２３６を所定の位置に簡単に位置決めできることとなる。
【０１３５】
同様に内壁２５０ｂ，２５０ｂ´は、当該底面４９ｂに配置される例えば反射シート２３８が丁度その内壁内に収まるように形成されており、内壁２５０ｂ´の係止用凹部２５５ｂに反射シート２３８の突起を係合させ底面４９ｂに収めることにより正確に該反射シート２３８を所定の位置に簡単に位置決めできることとなる。
【０１３６】
ここで、射出側面４２の底面４９ａと反射側面４３の底面４９ｂとは、例えば図１３に示すように夫々反対側に位置し平面的に重なり、かつ、互いに平行となるように形成されている。すなわち、底面４９ａ，４９ｂで挟まれる導光板部分は厚さが略等しい平板形状となる。これにより反射シート３８で反射された光を無駄なく射出側面４２の拡散シート３７へ射出させることができる。
【０１３７】
更に光源側端面２５２は、例えば図１１、図１２及び図１３に示すように導光板２３４の光源側辺４４ａ，４４ｂに挟まれ、光源３３の発光面４１と略同じ大きさで該発光面に対向する受光面５３を略中央に有している。これにより、光源３３からの光の略全てを導光板２３４の光源側端面５２の受光面５３に入射させることができる。
【０１３８】
また、導光板２３４は凸部２４８ａ，２４８ａ´，２４８ｂ，２４８ｂ´も含め例えばアクリル系樹脂等を用いて射出成形や押出成形等により一体的に形成される。
【０１３９】
次に、２枚のプリズムシート２３５，２３６、拡散シート２３７及び反射シート２３８は、例えば図１４に示すように略同じ大きさに形成されており、夫々光源３３に向かって左側辺の略中央に凸部２４８ａ´、凸部２４８ｂ´の係止用凹部２５５ａ，２５５ｂに夫々係合可能なように突起２６５，２６６，２６７，２６８が形成されている。
【０１４０】
これにより、反射側面４３の凸部２４８ｂ及び２４８ｂ´で挟まれる底面４９ｂ上（図では下方向）に該底面４９ｂと略同じ大きさの例えば銀箔シート等の反射シート２３８が係止用凹部２５５ｂと突起２６８により位置決めされ貼着されている。また、射出側面４２の凸部２４８ａ及び２４８ａ´で挟まれる底面４９ａ上（液晶パネル側）に該底面４９ａと略同じ大きさの拡散シート２３７が係止用凹部２５５ａと突起２６７により位置決めされ貼着され、更にその上に２枚のプリズムシート２３５，２３６が係止用凹部２５５ａと突起２６５，２６６により位置決めされ配置されている。
【０１４１】
このように、各光学シートと内壁２５０ａ，２５０ａ´，２５０ｂ，２５０ｂ´で囲まれる底面４９ａ，４９ｂとが同じ大きさに形成されており、夫々の光学シートに係止用の突起２６５，２６６，２６７，２６８と凸部４８ａ，４８ｂに該突起が係合する係止用凹部２５５ａ，２５５ｂとが形成されているので、きわめて容易にプリズムシート等の位置決めが可能となる。また、図１２に示すように液晶パネル２の有効表示領域Ｄに底面４９ａ，４９ｂが対応しているので、有効表示領域Ｄの全体に均質で輝度の高い光を射出することができる。
【０１４２】
尚、底面４９ａ，４９ｂで挟まれる導光板部分は上述のように厚さが略等しい平板形状に限られるものではなく、例えば光源３３に遠くなるほどその厚さが薄くなるような略楔形状に形成してもよい。これにより、拡散シート２３７の略全面に均一な輝度で光を射出することが可能となると共に液晶装置２０１の軽量化をより図ることができる。
【０１４３】
また、上述の説明では導光板２３４の両面に凸部２４８ａ，２４８ａ´，２４８ｂ，２４８ｂ´を有する場合を説明したがこれに限られるものではなく、例えば射出側面４２にのみ凸部２４８ａ，２４８ａ´を有するものとしてもよい。勿論、逆に反射側面４３だけでもよい。これにより、製造コストの軽減をより図ることができる。
【０１４４】
更に図示はしないが、反射シート２３８を光源３３の下まで延ばしてもよい。これにより、光源まで反射シート２３８で覆うこととなるので、より光源３３からの光を無駄なく液晶パネル２に供給できる。
【０１４５】
（液晶装置の製造方法）
【０１４６】
次に、以上のように構成された液晶装置２０１の製造方法について導光板へのプリズムシート３５等の光学シートの位置決め配置工程を中心に簡単に説明する。
【０１４７】
まず、例えば図１１に示すように反射部材４０をフレーム３９の凹部５４の光源側内壁に配置し、光源３３を所定の位置に固定する。
【０１４８】
次に、例えば図１５に示すように射出側面４２の凸部２４８ａ´の内壁２５０ａ´の係止用凹部２５５ａに拡散シート２３７の突起２６７を係合させて該拡散シート２３７のその辺を底面４９ａに降ろし位置決めし、そのまま底面４９ａに他の辺も内壁２５０ａに合わせながら降ろし、所定の位置に位置決めしながら配置する。以下同様にプリズムシート２３６，２３５も内壁２５０ａ´の係止用凹部２５５ａに突起２６６，２６５を係合させて各プリズムシートの辺を内壁２５０ａ´、内壁２５０ａに合わせることにより所定の位置に位置決めし、配置する。
【０１４９】
また、同様に反射側面４３の凸部２４８ｂ´の内壁２５０ｂ´の係止用凹部２５５ｂに反射シート２３８の突起２６８を係合させて該反射シート２３８のその辺を底面４９ｂに降ろし位置決めし、そのまま底面４９ｂに他の辺も内壁２５０ｂに合わせながら降ろし、所定の位置に位置決めしながら配置する。
【０１５０】
以上で導光板２３４に光学シートであるプリズムシート２３５，２３６、拡散シート２３７及び反射シート２３８を底面４９ａ，４９ｂに位置決めし、配置する工程を終了する。
【０１５１】
これにより、導光板２３４の凸部２４８ａ，２４８ａ´，２４８ｂ，２４８ｂ´の内壁及びその内壁に形成された係止用凹部２５５ａ，２５５ｂを用いて簡単に光学シートであるプリズムシート２３５，２３６、拡散シート２３７及び反射シート２３８を底面４９ａ，４９ｂに位置決めし、配置することができる。
【０１５２】
その後、射出側面４２にプリズムシート２３５，２３６及び拡散シート２３７が、反射側面４３に反射シート２３８が夫々配置された導光板２３４を反射部材４０及び光源３３が備えられたフレーム３９の所定の位置、すなわち光源３３の発光面４１と導光板２３４の受光面５３とが一致するように挿入し固定する。これで、照明装置２０４が完成するので更に液晶パネル２にその照明装置２０４を図１１及び図１２に示すように取り付け、その他の例えば回路基板３等を取り付けて液晶装置２０１が完成する。
【０１５３】
尚、光学シートを導光板２３４の所定の位置に位置決めする方法は上述のように一枚一枚位置決めする方法に限られず、例えば射出側面４２であれば拡散シート２３７とプリズムシート２３５，２３６とを予め一枚に纏めておいて、その纏められた光学シートの突起を係止用凹部２５５ａに係合させ位置決めしてもよい。これによれば、位置決め工程を短縮できる。
【０１５４】
このように本実施形態によれば、液晶装置２０１は導光板２３４の両面の２辺に夫々凸部２４８ａ，２４８ａ´，２４８ｂ，２４８ｂ´を有し、その凸部にプリズムシート等の光学シートの一辺に設けられた突起２６５，２６６，２６７，２６８に係合する係止用凹部２５５ａ，２５５ｂを有することとしたので、光学シートの突起を該係止用凹部２５５ａ，２５５ｂに係合させて内壁２５０ａ，２５０ａ´，２５０ｂ，２５０ｂ´に合わせることにより、簡単に正確な光学シートの位置決めが可能となる。
【０１５５】
また、係止用凹部２５５ａ，２５５ｂを有する凸部２４８ａ，２４８ａ´，２４８ｂ，２４８ｂ´は光源側辺４４ａ，４４ｂに有していないので、導光板２３４の受光面５３から入射した光の妨げにならないようにプリズムシート等の光学シートを導光板２３４に位置決めできる。
【０１５６】
（変形例１）
【０１５７】
次に、本発明に係る液晶装置の第３の実施形態の変形例１について説明する。本変形例１においては凸部を有する導光板の２辺が第３の実施形態と異なるので導光板を中心に説明する。尚、第１の実施形態の構成要素と共通する構成要素については、第１の実施形態の構成要素と同一の符号を付しその説明を省略する。
【０１５８】
図１６は変形例１の光源と導光板との概略斜視図である。
【０１５９】
液晶装置４０１の導光板４３４は、例えば図１６に示すように射出側面４２では光源側辺４４ａとその対向する辺４５ａとの２辺に略直方体状の凸部４４８ａ，４４８ａ´を夫々有している。
【０１６０】
該凸部４４８ａは、例えば図１６に示すように断面が矩形状で導光板４３４の光源側辺４４ａの全体に形成されており、凸部４４８ａ´は、内側中央に係止部としての係止用凹部４５５ａが形成されている他は、凸部４４８ａと同様に導光板４３４の対向する辺４５ａの全体に形成されている。
【０１６１】
また、凸部４４８ａは例えば図１６に示すように該凸部４４８ａ，４４８ａ´に挟まれ形成される窪みの底面４９ａに対し、略垂直に立設された壁面としての内壁４５０ａを有し、更にその液晶パネル側の面が略遮光部材２６、第２の基板７と平行な凸部平面４５１ａとして形成されている。
【０１６２】
更に凸部４４８ａ´は、例えば図１６に示すように底面４９ａに対し、略垂直に立設された壁面としての内壁４５０ａ´を内壁４５０ａに対向するように有し、更にその液晶パネル側の面が略遮光部材２６、第２の基板７と平行な凸部平面４５１ａ´として形成されている。
【０１６３】
ここで、内壁４５０ａ´には例えば図１６に示すようにその略中央に凸部４４８ａ´の内側に溝状に凹んだ係止用凹部４５５ａが形成されており、プリズムシート等の光学シートの突起が丁度係合するようになっている。
【０１６４】
一方、反射側面４３では射出側面４２の各辺と対応して光源側辺４４ｂとその対向する辺４５ｂとの２辺に略直方体状の凸部４４８ｂ，４４８ｂ´を夫々有している。
【０１６５】
該凸部４４８ｂは、例えば図１６に示すように断面が矩形状で導光板４３４の光源側辺４４ｂの全体に形成されており、凸部４４８ｂ´は、内側中央に係止部としての係止用凹部４５５ｂが形成されている他は、凸部４４８ｂと同様に導光板４３４の対向する辺の全体に形成されている。
【０１６６】
また、凸部４４８ｂは例えば図１６に示すように該凸部４４８ｂ，４４８ｂ´に挟まれ形成される窪みの底面４９ｂに対し、略垂直に立設された壁面としての内壁４５０ｂを有し、更にそのフレーム側の面が略遮光部材２６、第２の基板７と平行な凸部平面４５１ｂとして形成されている。
【０１６７】
更に凸部４４８ｂ´は、例えば図１６に示すように底面４９ｂに対し、略垂直に立設された壁面としての内壁４５０ｂ´を内壁４５０ｂに対向するように有し、更にそのフレーム側の面が略遮光部材２６、第２の基板７と平行な凸部平面４５１ｂ´として形成されている。
【０１６８】
ここで、内壁４５０ｂ´には例えば図１６に示すようにその略中央に凸部４４８ｂ´の内側に溝状に凹んだ係止用凹部４５５ｂが形成されており、反射シート等の光学シートの突起が丁度係合するようになっている。
【０１６９】
また、内壁４５０ａ，４５０ａ´は、当該底面４９ａに配置される例えば拡散シートやプリズムシートが丁度その内壁内に収まるように形成されており、内壁４５０ａ´の係止用凹部４５５ａに拡散シートやプリズムシートの突起を係合させ底面４９ａに収めることにより正確に該拡散シートやプリズムシートを所定の位置に簡単に位置決めできることとなる。
【０１７０】
同様に内壁４５０ｂ，４５０ｂ´は、当該底面４９ｂに配置される例えば反射シートが丁度その内壁内に収まるように形成されており、内壁４５０ｂ´の係止用凹部４５５ｂに反射シートの突起を係合させ底面４９ｂに収めることにより正確に該反射シートを所定の位置に簡単に位置決めできることとなる。
【０１７１】
ここで、射出側面４２の底面４９ａと反射側面４３の底面４９ｂとは、例えば図１６に示すように夫々反対側に位置し平面的に重なり、かつ、互いに平行となるように形成されている。すなわち、底面４９ａ，４９ｂで挟まれる導光板部分は厚さが略等しい平板形状となる。これにより反射シートで反射された光を無駄なく射出側面４２の拡散シートへ射出させることができる。
【０１７２】
更に光源側端面５２は、例えば図１６に示すように導光板４３４の光源側辺４４ａ，４４ｂに挟まれ、光源３３の発光面４１と略同じ大きさで該発光面に対向する受光面５３を略中央に有している。これにより、光源３３からの光の略全てを導光板２３４の光源側端面５２の受光面５３に入射させることができる。
【０１７３】
また、導光板４３４はプリズムシート等の光学シートが配置される底面４９ａ，４９ｂによって挟まれる部分の導光板４３４の厚さを、光源側で凸部平面４５１ａと凸部平面４５１ｂとによって挟まれる部分の導光板４３４の厚さより、その内壁４５０ａ，４５０ｂの分だけ薄くして窪ませている。
【０１７４】
更に凸部平面４５１ａ，４５１ａ´，４５１ｂ，４５１ｂ´の表面に図示しない反射層を設けてもよい。これにより、該凸部平面から外部に漏れる光を略導光板４３４の内部に戻すことが可能となり、光源３３からの光を無駄なく液晶パネル２に供給できる。
【０１７５】
また、導光板４３４は凸部４４８ａ，４４８ａ´，４４８ｂ，４４８ｂ´も含め例えばアクリル系樹脂等を用いて射出成形や押出成形等により一体的に形成される。
【０１７６】
次に、２枚のプリズムシート、拡散シート及び反射シートは、略同じ大きさに形成されており、凸部４４８ａ´，４４８ｂ´の係止用凹部４５５ａ，４５５ｂに夫々係合可能なように突起が形成されている。
【０１７７】
このように、各プリズムシート等の光学シートと内壁４５０ａ，４５０ａ´，４５０ｂ，４５０ｂ´で囲まれる底面４９ａ，４９ｂとが同じ大きさに形成されており、夫々の光学シートに係止用の突起と凸部４４８ａ´，４４８ｂ´に該突起が係合する係止用凹部４５５ａ，４５５ｂとが形成されているので、きわめて容易にプリズムシート等の位置決めが可能となる。
【０１７８】
また、導光板４３４はプリズムシート等の光学シートが配置される底面４９ａ，４９ｂによって挟まれる部分の導光板４３４の厚さを光源側端面５２の厚さより薄くなるように凸部４４８ａ，４４８ａ´，４４８ｂ，４４８ｂ´を両面の２辺に有することとしたので、その窪んだ底面４９ａ，４９ｂ部分に光学シートの全部或は一部を収納することにより、その分だけ照明装置４０４全体の厚さを薄くすることができる。
【０１７９】
更に光源側辺４４ａ，４４ｂに対向する辺４５ａ，４５ｂに係止用凹部４５５ａ，４５５ｂを有することとしたので、係止用凹部の存在が液晶パネル２への光の供給の妨げにならず、しかも相対向する２辺でプリズムシート等の光学シートを挟み、該光学シートの突起が係止用凹部に係合するので、より正確な光学シートの位置決めが簡単にできることとなる。
【０１８０】
尚、底面４９ａ，４９ｂで挟まれる導光板部分の厚さが略等しい平板形状に限られるものでないことは、第１の実施形態の場合と同様である。また、上述した凸部が、例えば射出側面４２と反射側面４３とのいずれか一方だけであってもよいことも同様である。
【０１８１】
（変形例２）
【０１８２】
次に、本発明に係る液晶装置の第３の実施形態の変形例２について説明する。本変形例２においては凸部を有する導光板の辺が３辺で第３の実施形態と異なるので導光板を中心に説明する。尚、第１の実施形態の構成要素と共通する構成要素については、第１の実施形態の構成要素と同一の符号を付しその説明を省略する。
【０１８３】
図１７は変形例２の光源と導光板との概略斜視図である。
【０１８４】
液晶装置５０１の導光板５３４は、例えば図１７に示すように射出側面４２では光源側辺４４ａと該光源３３に向かって右側辺４６ａ及び左側辺４７ａとの３辺に略直方体状の凸部５４８ａ，６４８ａ，７４８ａを夫々有している。
【０１８５】
該凸部５４８ａは、例えば図１７に示すように断面が矩形状で導光板５３４の光源側辺４４ａの全体に形成されており、凸部６４８ａも略同様に右側辺４６ａに形成されている。更に凸部７４８ａは、内側中央に係止部としての係止用凹部５５５ａが形成されている他は、凸部６４８ａと同様の形状で導光板４３４の左側辺４７ａの全体に形成されている。
【０１８６】
また、凸部５４８ａは例えば図１７に示すように凸部６４８ａ，７４８ａに挟まれ形成される窪みの底面４９ａに対し、略垂直に立設された壁面としての内壁５５０ａを有し、更にその液晶パネル側の面が略遮光部材２６、第２の基板７と平行な凸部平面５５１ａとして形成されている。凸部６４８ａも同様に内壁６５０ａを有し、遮光部材２６、第２の基板７と平行な凸部平面６５１ａが形成されている。
【０１８７】
更に凸部７４８ａは、例えば図１７に示すように底面４９ａに対し、略垂直に立設された壁面としての内壁７５０ａを内壁６５０ａに対向するように有し、更にその液晶パネル側の面が略遮光部材２６、第２の基板７と平行な凸部平面７５１ａとして形成されている。
【０１８８】
ここで、内壁７５０ａには例えば図１７に示すようにその略中央に凸部７４８ａの内側に溝状に凹んだ係止用凹部５５５ａが形成されており、プリズムシート等の光学シートの突起が丁度係合するようになっている。
【０１８９】
一方、反射側面４３では射出側面４２の各辺と対応して光源側辺４４ｂと該光源３３に向かって右側辺４６ｂ及び左側辺４７ｂとの３辺に略直方体状の凸部５４８ｂ，６４８ｂ，７４８ｂを夫々有している。
【０１９０】
該凸部５４８ｂは、例えば図１７に示すように断面が矩形状で導光板５３４の光源側辺４４ｂの全体に形成されており、凸部６４８ｂも略同様に右側辺４６ｂに形成されている。更に凸部７４８ｂは、内側中央に係止部としての係止用凹部５５５ｂが形成されている他は、凸部６４８ｂと同様の形状で導光板４３４の左側辺４７ｂの全体に形成されている。
【０１９１】
また、凸部５４８ｂは例えば図１７に示すように凸部６４８ｂ，７４８ｂに挟まれ形成される窪みの底面４９ｂに対し、略垂直に立設された壁面としての内壁５５０ｂを有し、更にそのフレーム側の面が略遮光部材２６、第２の基板７と平行な凸部平面５５１ｂとして形成されている。凸部６４８ｂも同様に内壁６５０ｂを有し、遮光部材２６、第２の基板７と平行な凸部平面６５１ｂが形成されている。
【０１９２】
更に凸部７４８ｂは、例えば図１７に示すように底面４９ｂに対し、略垂直に立設された壁面としての内壁７５０ｂを内壁６５０ｂに対向するように有し、更にそのフレーム側の面が略遮光部材２６、第２の基板７と平行な凸部平面７５１ｂとして形成されている。
【０１９３】
ここで、内壁７５０ｂには例えば図１７に示すようにその略中央に凸部７４８ｂの内側に溝状に凹んだ係止用凹部５５５ｂが形成されており、プリズムシート等の光学シートの突起が丁度係合するようになっている。
【０１９４】
また、内壁５５０ａ，６５０ａ，７５０ａは、当該底面４９ａに配置される例えば拡散シートやプリズムシートが丁度その内壁内に収まるように形成されており、内壁７５０ａの係止用凹部５５５ａに拡散シートやプリズムシートの突起を係合させ底面４９ａに収めることにより正確に該拡散シートやプリズムシートを所定の位置に簡単に位置決めできることとなる。
【０１９５】
同様に内壁５５０ｂ，６５０ｂ，７５０ｂは、当該底面４９ｂに配置される例えば反射シートが丁度その内壁内に収まるように形成されており、内壁７５０ｂの係止用凹部５５５ｂに反射シートの突起を係合させ底面４９ｂに収めることにより正確に該反射シートを所定の位置に簡単に位置決めできることとなる。
【０１９６】
ここで、射出側面４２の底面４９ａと反射側面４３の底面４９ｂとは、例えば図１７に示すように夫々反対側に位置し平面的に重なり、かつ、互いに平行となるように形成されている。すなわち、底面４９ａ，４９ｂで挟まれる導光板部分は厚さが略等しい平板形状となる。これにより反射シートで反射された光を無駄なく射出側面４２の拡散シートへ射出させることができる。
【０１９７】
更に光源側端面５２は、例えば図１７に示すように導光板５３４の光源側辺４４ａ，４４ｂに挟まれ、光源３３の発光面４１と略同じ大きさで該発光面に対向する受光面５３を略中央に有している。これにより、光源３３からの光の略全てを導光板５３４の光源側端面５２の受光面５３に入射させることができる。
【０１９８】
また、導光板５３４はプリズムシート等の光学シートが配置される底面４９ａ，４９ｂによって挟まれる部分の導光板５３４の厚さを、光源側で凸部平面５５１ａと凸部平面５５１ｂとによって挟まれる部分の導光板５３４の厚さより、その内壁５５０ａ，５５０ｂの分だけ薄くして窪ませている。
【０１９９】
更に凸部平面５５１ａ，６５１ａ，７５１ａ，５５１ｂ，６５１ｂ，７５１ｂの表面に図示しない反射層を設けてもよい。これにより、該凸部平面から外部に漏れる光を略導光板５３４の内部に戻すことが可能となり、光源３３からの光を無駄なく液晶パネル２に供給できる。
【０２００】
また、各光学シートと内壁５５０ａ，５５０ｂ，６５０ａ，６５０ｂ，７５０ａ，７５０ｂで囲まれる底面４９ａ，４９ｂとが同じ大きさに形成されており、夫々の光学シートに係止用の突起と凸部７４８ａ，７４８ｂに該突起が係合する係合用凹部５５５ａ，５５５ｂとが形成されているので、きわめて容易にプリズムシート等の位置決めが可能となる。
【０２０１】
更に導光板５３４はプリズムシート等の光学シートが配置される底面４９ａ，４９ｂによって挟まれる部分の導光板５３４の厚さを光源側端面５２の厚さより薄くなるように凸部５４８ａ，５４８ｂ，６４８ａ，６４８ｂ，７４８ａ，７４８ｂを両面の３辺に有することとしたので、その窪んだ底面４９ａ，４９ｂ部分に光学シートの全部或は一部を収納することにより、その分だけ照明装置５０４全体の厚さを薄くすることができる。
【０２０２】
尚、底面４９ａ，４９ｂで挟まれる導光板部分の厚さが略等しい平板形状に限られるものでないことは、第１の実施形態の場合と同様である。また、上述した凸部が、例えば射出側面４２と反射側面４３とのいずれか一方だけであってもよいことも同様である。
【０２０３】
（第４の実施形態・電子機器）
【０２０４】
次に、上述した液晶装置１，１０１，２０１，４０１，５０１のいずれかを備えた本発明の第４の実施形態に係る電子機器について説明する。尚、第１の実施形態の構成要素と共通する構成要素については、第１の実施形態の構成要素と同一の符号を付しその説明を省略する。
【０２０５】
図１８は本発明の第４の実施形態にかかる電子機器の表示制御系の全体構成を示す概略構成図である。
【０２０６】
電子機器３００は、表示制御系として例えば図１８に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０２０７】
また、液晶パネル２には表示領域Ｉを駆動する駆動回路３６１を有する。
【０２０８】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０２０９】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【０２１０】
このように本実施形態によれば、電子機器３００に備えられた例えば液晶装置１は、導光板３４の４辺に額縁状に連続して光学シートであるプリズムシート３５等を位置決めすることができる凸部４８ａ，４８ｂを夫々両面に有することしたので、該凸部４８ａ，４８ｂの内壁５０ａ，５０ｂを用い光学シートの位置決めが極めて簡単にできる。また、当該光源側端面５２より導光板３４の厚さが薄い部分にプリズムシート３５等の光学シートを配置できるので、液晶装置１としての厚さをその光学シート分薄くすることができる。
【０２１１】
特に携帯可能な電子機器にあっては、小型で且つ正確な機能を発揮できることが求められており、低コスト、薄型軽量であり、光源からの光を無駄なく液晶パネル２に供給できる本発明の意義は大きいといえる。
【０２１２】
具体的な電子機器としては、携帯電話機やパーソナルコンピュータなどの他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１，１０１，２０１，４０１，５０１が適用可能なのは言うまでもない。
【０２１３】
なお、本発明の電気光学装置及び電子機器は、上述した例に限定されるものではなく、本発明の要旨を逸脱しない範囲において種々変更を加え得ることは勿論である。
【０２１４】
例えば、上述した電気光学装置はいずれも液晶パネルを有する液晶装置であるが、無機或は有機エレクトロルミネッセンス装置、プラズマディスプレイ装置、電気泳動ディスプレイ装置、電子放出素子を用いた装置（Ｆｉｅｌｄ  Ｅｍｉｓｓｉｏｎ  Ｄｉｓｐｌａｙ及びＳｕｒｆａｃｅ‐Ｃｏｎｄｕｃｔｉｏｎ  Ｅｌｅｃｔｒｏｎ‐Ｅｍｉｔｔｅｒ Ｄｉｓｐｌａｙ等）などの各種電気光学装置であってもよい。
【０２１５】
以上、好ましい実施形態を上げて本発明を説明したが、本発明は上述したいずれの実施形態にも限定されず、本発明の技術思想の範囲内で適宜変更して実施できる。
【０２１６】
例えば、上述の実施形態や変形例ではパッシブマトリクス型の液晶装置について説明したがこれに限られるものではなく、例えば薄膜トランジスタ素子アクティブマトリクス型、薄膜ダイオード素子アクティブマトリクス型の液晶装置であってもよい。更には、半透過型に限らず透過型であってもよい。これにより、多種多様な液晶装置についても、より薄型軽量で、点光源からの光を無駄なく液晶パネルに供給できることとなる。
【０２１７】
また、上述の実施形態や変形例では突起はプリズムシート等の光学シート側に設けられ、その突起が係合する係止用凹部を導光板に有する場合について説明したがこれに限られるものではなく、例えば逆に光学シートの方に係止用凹部を設け、導光板の方に突起を有するようにしても良い。これにより、より多種多様な液晶装置をより小型化、軽量化及び低コスト化することが可能となる。
【０２１８】
更に上述の実施形態や変形例では導光板の係止用凹部や各光学シートの突起は夫々一つずつ有するものとして説明したがこれに限られるものではなく、例えば光源側端面の受光面を除き複数の辺に一つずつ或は一つの辺に複数の係止用凹部や各光学シートの突起を有する場合でもよい。これによって、より多種多様な液晶装置をより小型化、軽量化及び低コスト化することが可能となる。
【０２１９】
また、上述の実施形態や変形例では導光板が有する凸部はいずれも一辺の全体（端から端まで）に形成されている或は額縁状に４辺で一続きに形成させているものとして説明したがこれに限られるものではなく、例えば図１９に示すように夫々の辺のある一部にのみ凸部が形成されているものでもよい。具体的には、図１９に示すように射出側面４２には導光板３４´の一番長い幅（図１９中のＸ軸方向）である図中のＪより幅の狭いＫの幅の凸部４８ａ１が光源側辺４４ａのその中央部に導光板３４の一部として形成されている。同様に光源に対向する辺４５ａにはやはり凸部４８ａ１と同様に中央部分に凸部４８ａ２が形成されており、更に右側辺４６ａ、左側辺４７ａに夫々同様に中央部に凸部４８ａ３，４８ａ４が形成されている。また、反射側面にも同様に夫々の辺の一部として中央部に凸部４８ｂ１，４８ｂ２，４８ｂ３，４８ｂ４が形成されている。これにより、より照明装置４を軽量化することができる。勿論、辺の一部に形成された凸部は図１９のように必ずしも４辺にある必要はなく、少なくとも２辺にあればよい。更にその形状も必ずしも直方体である必要はない。
【０２２０】
更に上述の実施形態や変形例では導光板の光源側端面の高さは光源の発光面の高さと略同じものとして説明したがこれに限られるものではなく、例えば図１９に示すように光源３３の発光面４１の高さ（図１９中のＺ軸方向の長さ：Ｌ）より光源側端面５２´の受光面５３の付近の高さ（図１９中のＺ軸方向の長さ：Ｍ）のほうが大きくてもよい。これにより、光源３３の発光面４１と受光面５３とが必ずしも正確に一致していなくても発光面からの光をより確実に導光板３４´に入射させることができることとなり、光源３３からの光をより多く液晶パネル２に供給できると共に多種多様な液晶装置に対応できる。
【０２２１】
また、上述の実施形態や変形例では導光板の受光面の面積と光源の発光面の面積とは略同じものとして説明したがこれに限られるものではなく、例えば発光面より受光面のほうの面積が大きくてもよい。これにより、発光面からの光はより確実に受光面に入射できることとなり、光源３３からの光をより多く液晶パネル２に供給できると共に多種多様な液晶装置に対応できる。
【図面の簡単な説明】
【０２２２】
【図１】第１の実施形態に係る液晶装置の概略斜視図である。
【図２】図１のＡ−Ａ線断面図（ＩＣ及び光源は切断されていない。）である。
【図３】第１の実施形態に係る光源及び導光板の説明図である。
【図４】第１の実施形態に係る光源と導光板及び光学シートの説明図である。
【図５】片面にのみ位置決め用凸部が設けられている場合の説明図である。
【図６】第１の実施形態に係る導光板への光学シートの位置決め方法の説明図である。
【図７】導光板の光の進み方を側面側から説明する図である。
【図８】第２の実施形態に係る液晶装置の概略斜視図である。
【図９】図８のＧ−Ｇ線断面図（ＩＣ及び光源は切断されていない。）である。
【図１０】第２の実施形態に係る光源と導光板との説明図である。
【図１１】第３の実施形態に係る液晶装置の概略斜視図である。
【図１２】図１１のＨ−Ｈ線断面図（ＩＣ及び光源は切断されていない。）である。
【図１３】第３の実施形態に係る光源と導光板との説明図である。
【図１４】第３の実施形態に係る光源と導光板及び光学シートの説明図である。
【図１５】第３の実施形態に係る光学シートの位置決め方法の説明図である。
【図１６】変形例１の光源及び導光板の説明図である。
【図１７】変形例２の光源及び導光板の説明図である。
【図１８】第４の実施形態に係る電子機器の表示制御系の概略構成図である。
【図１９】導光板の凸部が一辺の一部に有する場合の説明図である。
【符号の説明】
【０２２３】
１，１０１，２０１，４０１，５０１  液晶装置、  ２  液晶パネル、  ３  回路基板、  ４，１０４，２０４，４０４，５０４  照明装置、  ５  シール材、  ６  第１の基板、  ７  第２の基板、  ８  液晶、  ９  枠、  １０  コモン電極、  １１，１５  オーバーコート層、  １２，１６  配向膜、  １３，１７  偏光板、  １４  セグメント電極、  １８  張出し部、  １９  コモン電極用配線、  ２０  セグメント電極用配線、  ２１  液晶駆動用ＩＣ、  ２２  電極用端子、  ２３  入力用端子、  ２４  外部用端子、  ２５  入力用配線、  ２６  遮光部材、  ２７  バンプ、  ２８  ＡＣＦ、  ２９  表示用開口部、  ３０  ベース基材、  ３１  配線パターン、  ３２  外部接続用ＡＣＦ、  ３３  光源、  ３４，３４´，２３４，４３４，５３４  導光板、  ３５，３６，２３５，２３６  プリズムシート、  ３７，２３７  拡散シート、  ３８，２３８  反射シート、  ３９  フレーム、  ４０  反射部材、  ４１  発光面、  ４２  射出側面、  ４３  反射側面、  ４４ａ，４４ｂ  光源側辺、  ４５ａ，４５ｂ  対向する辺、  ４６ａ，４６ｂ  右側辺、  ４７ａ，４７ｂ  左側面、  ４８ａ，４８ａ１，４８ａ２，４８ａ３，４８ａ４，４８ｂ，４８ｂ１，４８ｂ２，４８ｂ３，４８ｂ４，２４８ａ，２４８ａ´，２４８ｂ，２４８ｂ´，４４８ａ，４４８ａ´，４４８ｂ，４４８ｂ´，５４８ａ，５４８ｂ，６４８ａ，６４８ｂ，７４８ａ，７４８ｂ  凸部、  ４９ａ，４９ｂ  底面、  ５０ａ，５０ｂ，２５０ａ，２５０ａ´，２５０ｂ，２５０ｂ´，４５０ａ，４５０ａ´，４５０ｂ，４５０ｂ´，５５０ａ，５５０ｂ，６５０ａ，６５０ｂ，７５０ａ，７５０ｂ  内壁、  ５１ａ，５１ｂ，２５１ａ，２５１ａ´，２５１ｂ，２５１ｂ´，４５１ａ，４５１ａ´，４５１ｂ，４５１ｂ´，５５１ａ，５５１ｂ，６５１ａ，６５１ｂ，７５１ａ，７５１ｂ  凸部平面、  ５２，５２´，２５２  光源側端面、  ５３  受光面、  ５４，１５４  凹部、  １５５  保護部材、  ２５５ａ，２５５ｂ，４５５ａ，４５５ｂ，５５５ａ，５５５ｂ  係止用凹部、  ２６５，２６６，２６７，２６８  突起、  ３００  電子機器、  ３６１  駆動回路、  ３９０  表示制御回路
【図１】
2005347014.tif 000003
【図２】
2005347014.tif 000004
【図３】
2005347014.tif 000005
【図４】
2005347014.tif 000006
【図５】
2005347014.tif 000007
【図６】
2005347014.tif 000008
【図７】
2005347014.tif 000009
【図８】
2005347014.tif 000010
【図９】
2005347014.tif 000011
【図１０】
2005347014.tif 000012
【図１１】
2005347014.tif 000013
【図１２】
2005347014.tif 000014
【図１３】
2005347014.tif 000015
【図１４】
2005347014.tif 000016
【図１５】
2005347014.tif 000017
【図１６】
2005347014.tif 000018
【図１７】
2005347014.tif 000019
【図１８】
2005347014.tif 000020
【図１９】
2005347014.tif 000021